(57)【要約】      （修正有）【課題】幼児や年配者や身障者等の握力の弱い者にとっても着脱し易く、介護者においても、履かせたり、脱がしたりし易い片手でも着脱し易い靴下を提供する。【解決手段】ウェルト１０の履き口１１の縁を突出させて袋状舌片１３を形成し、舌片の下縁に指引っ掛け用孔１２を形成し、孔にはポケット状袋１４を付設する。孔に指を引っかけて靴下Ａ１を足Ｆに着脱する。舌片１３を摘んで着脱する場合に比べれば、その作用は容易である。また、ポケット状袋１４に指の先が嵌るため、指先が安定して確実にウェルト１０を引き上げ、引き下げできる。【選択図】図１
0003208359.tif 000002
【実用新案登録請求の範囲】
【請求項１】
ウェルト（１０）に指引っ掛け用孔（１２）を設けた靴下。
【請求項２】
上記指引っ掛け用孔（１２）をポケット状袋（１４）の開口とした請求項１に記載の靴下。
【請求項３】
上記ウェルト（１０）の履き口（１１）の縁を突出させて舌片（１３）を形成し、その舌片（１３）に上記指引っ掛け用孔（１２）を形成した請求項１又は２に記載の靴下。
【請求項４】
上記ウェルト（１０）に紐（１５）の両端を係止して輪状とし、その輪状紐（１５）の内側で上記指引っ掛け用孔（１２）を形成した請求項１に記載の靴下。
【考案の詳細な説明】
【技術分野】
【０００１】
この考案は、着脱し易い靴下に関するものである。
【背景技術】
【０００２】
靴下（ソックス）は脚部を被う衣類であり、靴と素足の間の緩衝材としての役目のほか、足を暖かく保つ保温作用、汗を吸収して乾燥させ、通気性を確保することのほか、靴の外にでる皮膚の保護、靴と下半身の衣服との間を埋める衣服としての役割がある。
このため、靴下は、老若男女を問わず着用するが、幼児や年配者及び身障者等にとっては、握力が弱い場合があり、その場合は、靴下の履き口（ウェルト開口縁）を摘んで引き上げたり、引き下ろしたりする着脱作用は困難となる（図１参照）。
【０００３】
この着脱作用を片手操作で簡単にできるとした技術として、上記ウェルトの開口縁に上方突出状の手持ち片を設けた靴下が提案されている（特許文献１、段落０００９、図１〜３の符号６参照）。
【先行技術文献】
【特許文献】
【０００４】
【特許文献１】登録実用新案第３０６４１６７号公報
【考案の概要】
【考案が解決しようとする課題】
【０００５】
しかしながら、上記従来の手持ち片はあくまでその手持ち片を摘んで靴下を引き上げたり、引き下げたりして着脱するものであるため、握力が弱い者にとっては有効なものではない。手持ち片は履き口よりその把持面積が狭いため、引き上げや引き下げがし難くなる場合がある（感じる者がいる）。
この考案は、このような状況下、靴下の着脱を握力が弱くても容易にし得るようにすることを課題とする。
【課題を解決するための手段】
【０００６】
上記課題を達成するために、この考案は、ウェルトに指引っ掛け用孔を形成することとしたのである。
孔であれば、指を入れて靴下の引き上げや引き下げを行うことができるため、その作用は、手持ち片を摘んでその作用を行う場合に比べて、遙かに容易に行うことができる。
【０００７】
指引っ掛け孔の形成は、ウェルトの適宜位置とすれば良いが、履き口近くとすることが好ましく、例えば、前記ウェルトの履き口の縁を突出させた舌片の下縁に指引っ掛け用孔を形成したり、ウェルトに紐の両端を係止して輪状とし、その輪状紐の内側で指引っ掛け用孔を形成したりすることができる。
指引っ掛け孔はポケット状袋の開口で形成すれば、そのポケット状袋に指先を入れて靴下を着脱することとなるため、指先が安定してその着脱操作がより容易となる。
【考案の効果】
【０００８】
この考案は、以上のように構成して、孔に指を引っかけて靴下の引き上げや引き下げを行うようにしたので、片手で靴下の着脱ができてその作用が極めて容易になる。このため、幼児や年配者や身障者等の握力の弱い者にとっても着脱のし易い靴下となる。また、介護者においても、履かせたり、脱がしたりし易いものとなる。
【図面の簡単な説明】
【０００９】
【図１】この考案に係る靴下の一実施形態の使用説明図
【図２】図１の要部拡大図
【図３】同実施形態の正面図
【図４】同実施形態の要部斜視図
【図５】図４のＩ−Ｉ線切断平面図
【図６】同実施形態の要部切断斜視図
【図７】同他の実施形態の要部正面図
【図８】同実施形態の要部斜視図
【図９】同実施形態の要部切断斜視図
【図１０】同さらに他の実施形態の要部斜視図
【考案を実施するための形態】
【００１０】
この考案に係る靴下の一実施形態を図１〜図６に示し、この靴下Ａ１は、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵を有するものとしたが、踵の無い物も採用し得る。なお、靴下は左右対であるが、片方のみを図示しており、実用には、対の靴下に同様の下記指引っ掛け用孔１２等を設ける。
【００１１】
この考案に係る靴下Ａ１の特徴は、ウェルト１０の履き口１１に沿って指引っ掛け用孔１２を形成したものである。その孔１２は、履き口１１の縁を突出させて袋状舌片１３を形成し、その舌片１３の内側下縁を開口して形成している。指引っ掛け用孔（開口）１２の周縁には袋１４がポケット状に設けられて、その袋１４は舌片１３内に至っている。この構成は、例えば以下の編み方によって形成する。切り裂き孔１２の位置は、舌片１３の下縁である必要はなく、舌片１３の高さ方向の途中でも良い。
【００１２】
その舌片１３は例えばつぎのようにして形成する。すなわち、原則、踵編みと同様になるが、狭い幅の袋状舌片１３を編み立てする場合、通常の踵編みと異なるタイミングで周辺の針移動用カムを出入りさせる必要が生じる。このため、舌片１３を編み立てする場所によっては、カムのタイミングを変化させる必要があるため、編み立てをしながら慎重にカムのタイミングを設定していく必要が生じる。通常の踵編みでは、編み幅を狭めていく過程で左右の針上げピッカーのみを作用させて、１回のカム駆動用シリンダーの往復運動で編み幅の両端の針を1本ずつ不作用位置に上げることにより編み幅を全体で２本ずつ狭めていく。一方、編み幅を広げていく動きは、左右の針下げピッカーと針上げピッカーを同時に作用させる。このとき、針下げピッカーは１回の作用で２本の針を下げる為、針上げの作用と相殺され１回のシリンダーの往復運動で全体の編み幅が２本ずつ広がって行くことになる。
このため、指引っ掛け用孔１２を有するポケット状袋１４とともに舌片１３をポケット状とするので、高さのある突起（舌片１３）を形成するため、編み幅を狭めていく過程で針上げを２回行うたびに１回針下げを行うことによって３回の往復運動で全体の編み幅が２本ずつ狭くなっていく編み方を採用する。編み幅を広げていく時は、針下げを２回行うたびに、針上げのみを１回行う事で３回の往復運動で全体の編み幅が２本ずつ広くなっていくことになる。この作用によって狭い編み幅で高さのある袋状舌片１３及びポケット状袋１４を編み立てする。この実施形態においては、孔１２の幅ｗ：３．５ｃｍ、袋１４の深さｔ：１．５ｃｍとした（図５、図６参照）。
【００１３】
この実施形態の靴下Ａ１は以上の構成であり、図１、図２に示すように、孔１２に指ａを引っかけて靴下Ａ１を足Ｆに着脱する。このとき、孔１２に指ａを引っかけた作用のため、舌片１３を摘んで同作用する場合に比べれば、その作用は容易である。また、ポケット状袋１４に指ａの先が嵌るため、指先が安定して確実にウェルト１０を引き上げ、引き下げできる。
【００１４】
他の実施形態を図７〜図９に示し、この実施形態の靴下Ａ２は、突出する舌片１３ではなく、ウェルト１０の一部を切り裂き、その切り裂き孔１２から内側に舌片状袋（ポケット状袋）１４を設けたものである。この実施形態においては、同様に、袋１４の孔（開口）１２の幅：３．５ｃｍ、深さ：１．５ｃｍとした。切り裂き孔１２の位置は、ウェルト１０のゴム編みの境である必要はなく、真ん中（図１０（ａ）参照）等と適宜である。
この靴下Ａ２も、上記と同様に、孔１２からポケット状袋１４に指を差し入れ引っかけて靴下Ａ２を着脱する。
【００１５】
また、図１０にはさらに他の実施形態の靴下Ａ３、Ａ４を示し、ウェルト１０に縁をかがり縫い等で強化した孔１２を形成し、その孔１２に、同様に、指を引っかけて靴下Ａ２を着脱するようにしたり（同図（ａ））、ウェルト１０の一部、例えば、縁に紐１５の両端を係止し、その輪状紐１５で引っ掛け孔１２を形成したりすることができる（同図（ｂ））。図１０（ａ）の孔１２は、ウェルト１０を貫通しても、ウェルト１０が２重の場合は内側編み層だけでも良い。同図（ｂ）の紐１５はウェルト１０の編み工程と同時に形成したり、別途に後付けしたりすることができる。このとき、各孔１２の周縁に上記ポケット状袋１４を設けることができる。
さらに、舌片１３は袋状とせずに、片状とすることもでき、省略してポケット状袋１４のみで指引っ掛け用孔１２を構成することもできる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００１６】
Ａ１〜Ａ４  靴下
ａ  指
１０  靴下のウェルト
１１  同ウェルトの縁（履き口）
１２  指引っ掛け用孔
１３  舌片
１４  ポケット状袋
１５  輪状紐
【図１】
0003208359.tif 000003
【図２】
0003208359.tif 000004
【図３】
0003208359.tif 000005
【図４】
0003208359.tif 000006
【図５】
0003208359.tif 000007
【図６】
0003208359.tif 000008
【図７】
0003208359.tif 000009
【図８】
0003208359.tif 000010
【図９】
0003208359.tif 000011
【図１０】
0003208359.tif 000012